(57)【要約】【課題】日常から自己の健康状態を管理することのできる鏡を提供する。【解決手段】鏡器具１は、光の反射を利用して対象物（例えば、人間の舌）を映す領域４を有する鏡２と、その領域４に映る対象物（人間の舌）と対比できるように領域４の周辺に設けられた複数の参照体５であるシールとを有している。複数の参照体５のそれぞれには、対象物である人間の舌の種々の状態、例えば、舌の色が「青」、「淡白」、「淡紅」、「深紅」の状態や、数ヶ月前の自身の舌の状態が表示されている。【選択図】図１
2010082151.tif 000002
【特許請求の範囲】
【請求項１】
光の反射を利用して対象物を映す領域を有する鏡と、
前記領域の周辺に設けられた複数の参照体とを有し、
前記複数の参照体のそれぞれには、前記対象物の種々の状態が表示されていることを特徴とする鏡器具。
【請求項２】
請求項１記載の鏡器具において、
前記複数の参照体は、シールで構成されていることを特徴とする鏡器具。
【請求項３】
請求項１記載の鏡器具において、
前記複数の参照体は、写実物で構成されていることを特徴とする鏡器具。
【請求項４】
請求項１記載の鏡器具において、
前記複数の参照体は、シールおよび写実物で構成されていることを特徴とする鏡器具。
【請求項５】
請求項１記載の鏡器具において、
前記対象物は人間の舌または人間の皮膚であり、
前記複数の参照体のそれぞれには、人間の舌の状態または人間の皮膚の状態が種々表示されていることを特徴とする鏡器具。
【発明の詳細な説明】
【技術分野】
【０００１】
本発明は、鏡器具に関し、特に、継続して自己の健康状態を把握することができる健康補助器具としての鏡器具に適用して有効な技術に関する。
【背景技術】
【０００２】
近年、自分の健康は自分で管理する意識が浸透してきている。検診や健康診断を待つまでもなく、体重、体脂肪、血圧、尿糖などがチェックできる健康補助器具や検査薬などが普及しているので、これらを利用して日常から体調を管理することができる。継続して自己の健康状態を把握することができる健康補助器具として、例えば、体重計、体脂肪計、血圧計が用いられている。
【０００３】
このような体重計などの他に日常生活に欠くことのできないものとして、手鏡、鏡台、洗面台などの鏡器具がある。鏡は、光の反射を利用して対象物を映すものであり、身だしなみはもちろんのこと、顔などの身体が病気、怪我の有無を判断することができるため健康補助器具としての役割をも有するものであるといえる。
【０００４】
ところで、東洋医学には舌診という診断法があり、舌及び苔（舌乳頭）の色や形から、体質や体調の偏りを総合的に診断することができる。舌には全身の健康状態の変化が表れやすく、舌は全身の健康状態を写す鏡と言われている。すなわち、舌の組織は血管が多くあり、その表面には角質層が無く粘膜で覆われていることから、舌の色は血液や体液の色を如実に反映する。また、舌は、人体の上部消化器官の入口に位置しているため、消化器系の状態も反映することになる。
【０００５】
特許２７６３９８９号（特許文献１）には、舌の病態変化を識別し得る比較舌診システムとして、患者の舌像を投影する光学系と、前もって診断分類された資料の標準の各状態の舌像を投影する投影系とを備え、患者の舌像と標準舌像を比較可能に接近して投影し、その患者の病態変化を認識することができる技術が開示されている。
【特許文献１】特許２７６３９８９号
【発明の開示】
【発明が解決しようとする課題】
【０００６】
前述した舌診は医師、薬剤師、鍼灸師などが自身の診療経験に基づいて目視で行うのが一般的であり、定量化された診断手法は未だ確立されていない。このため診断に医師などの主観が介入して個人差が生じ易く、診断結果の体系的な記録や伝達が困難である。前記特許文献１に記載の技術を用いることによって、診断結果の体系的な記録や伝達ができると思われる。しかしながら、そのためのシステムを有する設備を個人で所有することは場所、費用で負担を強いること、日常的に用いることも困難であることが考えられる。
【０００７】
また、同じ舌の状態であっても人によって健康状態が異なるものである。言い換えると、同一人物であっても健康状態によって舌の状態が異なるものである。その一方で、舌は粘膜質で体表に露出していないことから、日焼けなどによる影響を受けず、普遍的な判断が可能であるという特徴もある。
【０００８】
本発明の目的は、日常から自己の健康状態を管理することのできる鏡器具を提供することにある。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
本発明における鏡器具は、光の反射を利用して対象物を映す領域を有する鏡と、前記領域の周辺に設けられた複数の参照体とを有し、前記複数の参照体のそれぞれには、前記対象物の種々の状態が表示されていることを特徴とする。
【発明の効果】
【００１２】
本願において開示される発明のうち、代表的なものによって得られる効果を簡単に説明すれば以下のとおりである。
【００１３】
本発明によれば、前記領域に映る前記対象物の状態と、前記複数の参照体で示される前記対象物の種々の状態とを対比して、前記対象物の変化を把握することによって、日常から自己の健康状態を管理することができる。
【発明を実施するための最良の形態】
【００１４】
以下、本発明の実施の形態を図面に基づいて詳細に説明する。なお、実施の形態を説明するための全図において、同一の機能を有する部材には同一の符号を付し、その繰り返しの説明は省略する場合がある。また、以下の実施の形態では、特に必要なときを除き、同一または同様な部分の説明を原則として繰り返さない。
【００１５】
（実施の形態１）
本実施の形態では、手鏡に適用した場合について図１および図２を参照して説明する。図１は本実施の形態における手鏡１を模式的に示す図であり、（ａ）は正面図、（ｂ）は側面図である。また、図２は図１（ａ）に示す手鏡１の要部の拡大図である。
【００１６】
手鏡１は、板状の鏡２と、その鏡２を嵌め込んで固定し、かつ、その外周で突出する取手を有する枠部３とを含んで構成されている。板状の鏡２は、例えば、ガラス板を主体として構成され、光の反射を利用して対象物が映し出される表面側とは反対の裏面側に水銀が塗布されている。また、光の反射を利用して対象物を映すことができる鏡２として、水銀を塗布したガラス板の他に、例えば、金属板、金属を蒸着したフィルムも適用することができる。枠部３は、手鏡１として軽量なものが良く、一般に用いられる例えば、プラスチック、木から構成されている。
【００１７】
図２には、手鏡１に映す対象物の一例として人間の舌が鏡２の領域４（破線で囲まれている）に映し出されている。その領域４に映る人間の舌（対象物）と対比できるように、鏡２の領域４の周辺には複数の参照体５（５ａ〜５ｆ）が設けられている。本実施の形態では、参照体５はシールで構成されており、鏡２の表面上にシール（写真）が貼り付けられた状態となっている。
【００１８】
ここで、舌を観察することによる健康状態について説明する。例えば、舌の色は、「青」、「淡白」、「淡紅」、「深紅」の順に、「青」に近い程、身体が冷えている状態であり、「深紅」に近くなる程、身体に熱がこもっている状態であると判断することができる。そこで、本実施の形態では、参照体５ａに「青」の舌の状態、参照体５ｂに「淡白」の舌の状態、参照体５ｃに「淡紅」の舌の状態、参照体５ｄに「淡紅」の舌の状態、参照体５ｅに「深紅」の状態を示している。この参照体５ａ〜５ｅを構成するシールは、例えば医師などの監修による写真を基に作製することができる。
【００１９】
また、経時変化による自己の健康状態について説明する。例えば、一年前、六ヶ月前、三ヶ月前、一ヶ月前、一週間前と時系列による舌の状態に変化がなければ、健康状態も変化がないと判断することができる。そこで、本実施の形態では、参照体５ｆに例えば一ヶ月前の舌の状態を示している。この参照体５ｆを構成するシールは、例えば自身の舌をカメラによって撮影した写真を基に作製することができる。
【００２０】
なお、本実施の形態では、参照体５に、医師などの監修による写真を基に作製したシールと、自身の舌をカメラによって撮影した写真を基に作製したシールを用いた場合について説明しているが、参照体５の全てが医師などの監修による写真を基に作製したシールであっても良く、あるいは参照体５の全てが自身の舌をカメラによって撮影した写真を基に作製したシールであっても良い。
【００２１】
このように、本実施の形態では、光の反射を利用して対象物として人間の舌を映す領域４を有する鏡２と、領域４に映る人間の舌（対象物）と対比できるように領域４の周辺に設けられた複数の参照体５であるシールや写実物（写実性のある印刷物）とを有している。この複数の参照体５のそれぞれには、対象物である人間の舌の種々の状態、例えば、舌の色が「青」、「淡白」、「淡紅」、「深紅」の状態や、数ヶ月前の自身の舌の状態を示すものである。これにより、日常から自己の健康状態を管理することができる。言い換えると、本実施の形態における手鏡１を用いることによって、自己の健康状態を知ることができる。さらに、その自己の健康状態の結果に疑いがある場合には、医者にかかるなどすれば早期発見、早期治療にもつなげることができる。
【００２２】
また、本実施の形態では、参照体５をシールで構成しているので、貼り付け換えることができる。このため、複数の参照体５のそれぞれには、対象物である人間の舌のより多くの状態を示すことができる。
【００２３】
また、本実施の形態では、対象物である人間の舌が映される領域４のすぐ又はごく周辺に複数の参照体５を設けているので、映された舌の状態と、参照される舌の状態との対比をより容易に行うことができる。
【００２４】
さらに、図３に示すように、手鏡１の背面側、すなわち枠部３において鏡２が固定される側とは反対側にコメント部６を設けても良い。図３は本実施の形態における手鏡１を模式的に示す図であり、（ａ）は裏面図、（ｂ）は側面図である。
【００２５】
図３に示すコメント部６は、裏蓋で開閉することができるようになっており、手鏡１の背面（コメント部６）を開くと、例えば参照体５ａ〜５ｆごとに舌の状態の標準的な注意事項などのコメントが現れるようになっている。図３（ａ）ではコメント部６において、裏蓋が開いた状態、図３（ｂ）では裏蓋が閉じた状態を示している。このコメント部６に記載されている注意事項は、例えば、参照体５と同様にコメント部６に貼り付けられたシールで構成されている。なお、本実施の形態では裏蓋を用いたコメント部６を示しているが、手鏡１の背面に直接シールを貼り付けた場合でも良い。
【００２６】
このため、領域４に映る現在の自分の舌の状態に対して、複数の参照体５が示す舌の状態のうち類似した時点の参照体５の番号（例えば参照体５ａ）を、裏蓋を開けてその参照体５の番号が示す注意事項（例えば参照体５ａでは身体が冷えているなど）と照合することができる。
【００２７】
（実施の形態２）
前記実施の形態１では参照体にシールを用いた場合について説明したが、本実施の形態では参照体に写実物（写実性のある印刷物）を用いた場合について図４を参照して説明する。図４は本実施の形態における手鏡１１を模式的に示す図であり、（ａ）は正面図、（ｂ）は側面図である。なお、参照体の構成が前記実施の形態１と相違する他は、重複するのでその説明は省略する場合がある。
【００２８】
図４に示すように、手鏡１１は、鏡２に映す対象物（例えば人間の舌）が映し出される鏡２の領域４（破線で囲まれている）を有している。その領域４に映る対象物（人間の舌）と対比できるように、鏡２の領域４の周辺には複数の参照体１２が設けられている。複数の参照体１２のそれぞれには、対象物である人間の舌の種々の状態、例えば、舌の色が「青」、「淡白」、「淡紅」、「深紅」の状態が表示されている。本実施の形態では、参照体１２ａに「青」の舌の状態、参照体１２ｂに「淡白」の舌の状態、参照体１２ｃに「淡紅」の舌の状態、参照体１２ｄに「淡紅」の舌の状態、参照体１２ｅに「深紅」の状態を示している。
【００２９】
前記実施の形態１で説明したように、舌の状態を対比することにより、日常から自己の健康状態を管理することができる。言い換えると、本実施の形態における手鏡１１を用いることによって、自己の健康状態を知ることができる。さらに、その自己の健康状態の結果に疑いがある場合には、医者にかかるなどすれば早期発見、早期治療にもつなげることができる。
【００３０】
また、本実施の形態における参照体１２は、例えば印刷機を用いて鏡２の表面に印刷されて構成されている。例えば、板状の鏡２の表面に参照体１２を印刷した後、その鏡２を枠部３に嵌め込むことで手鏡１１を製造することができる。印刷技術を用いることによって、手鏡１１を大量に製造することができる。
【００３１】
なお、前記実施の形態１で示したシールと、本実施の形態で示した写実物を組み合わせて、参照体を構成しても良い。
【００３２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００３３】
例えば、前記実施の形態では、手鏡に適用した場合について説明したが、鏡台、洗面台などの鏡器具にも適用することができる。これらも日常生活で用いられるものであるため、日常から自己の健康状態を管理することができる。
【００３４】
また、例えば、前記実施の形態では、鏡に映す対象物として、人間の舌に適用した場合について説明したが、人間の唇、顔（肌の色）など身体にも適用することができる。例えば人間の唇の種々の状態を複数の参照体に示すことによって、日常の健康状態を管理することができる。また、同一人物であっても健康状態によってそれら顔、唇の色の状態が変化することが考えられるので、普段と異なる状態を気づくことによっても同様に病気の早期発見などに役立てることができる。
【００３５】
また、例えば、前記実施の形態では、日常の自己の健康状態を管理するための鏡器具として説明した場合について説明したが、人間の顔に塗る白粉や、唇に塗る口紅などの化粧用としても適用することができる。
【産業上の利用可能性】
【００３６】
本発明は、鏡器具、特に、健康補助器具としての鏡器具に幅広く利用されるものである。
【図面の簡単な説明】
【００３７】
【図１】本発明の一実施の形態における手鏡を模式的に示す図であり、（ａ）は正面図、（ｂ）は側面図である。
【図２】図１（ａ）に示す手鏡の要部の拡大図であり、対象物として人間の舌が映されている。
【図３】本発明の一実施の形態における手鏡を模式的に示す図であり、（ａ）は背面図、（ｂ）は側面図である。
【図４】本発明の他の実施の形態における手鏡を模式的に示す図であり、（ａ）は正面図、（ｂ）は側面図である。
【符号の説明】
【００３８】
１  手鏡
２  鏡
３  枠部
４  領域
５、５ａ、５ｂ、５ｃ、５ｄ、５ｅ、５ｆ  参照体（シール）
６  コメント部
１１  手鏡
１２、１２ａ、１２ｂ、１２ｃ、１２ｄ、１２ｅ  参照体（写実物）
【図１】
2010082151.tif 000003
【図２】
2010082151.tif 000004
【図３】
2010082151.tif 000005
【図４】
2010082151.tif 000006